(57)【要約】      （修正有）【課題】ポケットに携帯端末を収納した場合でも、見栄えが悪くならず、かつ、構造が簡易でシャツの縫製作業に手数を要しない内部ポケット付きシャツを提供する。【解決手段】シャツ１の前身頃１１にポケット２を縫着することにより取り付けた内部ポケット付きシャツであって、ポケット２が、前身頃に形成したポケットの入口部を構成する開口部の上側縁部１２ａに一端縁部２１を、下側縁部１２ｂに他端縁部２２をそれぞれ縫着してなり、かつ、一端縁部２１と他端縁部２２の中間部２３を上方で折り返すことで２つのポケット部２ａ、２ｂを形成するようにした布片２０からなる。【選択図】図２
0003218280.tif 000002
【実用新案登録請求の範囲】
【請求項１】
シャツの前身頃にポケットを縫着することにより取り付けた内部ポケット付きシャツにおいて、前記ポケットが、前身頃に形成したポケットの入口部を構成する開口部の上側縁部に一端縁部を、開口部の下側縁部に他端縁部をそれぞれ縫着してなり、かつ、一端縁部と他端縁部の中間部を上方で折り返すことで２つのポケット部を形成するようにした布片からなることを特徴とする内部ポケット付きシャツ。
【請求項２】
前記２つのポケット部が、深さの異なるポケット部からなることを特徴とする請求項１に記載の内部ポケット付きシャツ。
【請求項３】
前記前身頃に形成したポケットの入口部を構成する開口部の縁部に、形状保持部材を配設してなることを特徴とする請求項１又は２に記載の内部ポケット付きシャツ。
【考案の詳細な説明】
【技術分野】
【０００１】
本考案は、ポケット付きシャツに関し、特に、ポケット付き布帛シャツやポケット付きニットシャツに関するものである。
【背景技術】
【０００２】
シャツには、大別して、（１）布帛を縫製して構成したワイシャツに代表されるビジネス、フォーマル、カジュアル等の用途に用いられる布帛シャツと、（２）ニットを縫製した構成したポロシャツ、ラガーシャツに代表されるカジュアル、スポーツ等の用途に用いられるニットシャツとの２種類がある（本明細書において、単に、「シャツ」という。）。
【０００３】
そして、これらのシャツにおいては、シャツの前身頃に胸ポケットを縫着することにより取り付けるようにしている。
【０００４】
ところで、近年、携帯端末（スマートフォン）の大型化に伴って、これに対応した大型の胸ポケットをシャツの前身頃に縫着することにより取り付けることが提案されている（例えば、特許文献１参照。）。
【０００５】
しかしながら、シャツの前身頃に縫着することにより取り付けた胸ポケットに携帯端末を収納した場合、携帯端末の重みで、胸ポケットや、その周辺の前身頃が垂れ下がり、見栄えが悪くなるという問題があった。
【０００６】
一方、この問題に対処するため、シャツの前身頃に縫着することにより取り付けた胸ポケットに加えて、肩ヨークから帯状の支持部材を介して内部ポケットを吊着することにより取り付けるようにしたシャツが提案されている（特許文献２参照。）。
【０００７】
しかしながら、上記特許文献２に記載されたものは、２つの別構造のポケットを備える必要があるため、構造が複雑で、シャツの縫製作業に手数を要するという問題があった。
【先行技術文献】
【特許文献】
【０００８】
【特許文献１】実用新案登録第３２０９４７９号公報
【特許文献２】実用新案登録第３１７１９３４号公報
【考案の概要】
【考案が解決しようとする課題】
【０００９】
本考案は、上記従来の携帯端末を収納できるポケット付きシャツの有する問題点に鑑み、ポケットに携帯端末を収納した場合でも、見栄えが悪くならず、かつ、構造が簡易でシャツの縫製作業に手数を要しない内部ポケット付きシャツを提供することを目的とする。
【課題を解決するための手段】
【００１０】
上記目的を達成するため、本考案の内部ポケット付きシャツは、シャツの前身頃にポケットを縫着することにより取り付けた内部ポケット付きシャツにおいて、前記ポケットが、前身頃に形成したポケットの入口部を構成する開口部の上側縁部に一端縁部を、開口部の下側縁部に他端縁部をそれぞれ縫着してなり、かつ、一端縁部と他端縁部の中間部を上方で折り返すことで２つのポケット部を形成するようにした布片からなることを特徴とする。
【００１１】
この場合において、前記２つのポケット部が、深さの異なるポケット部からなるようにすることができる。
【００１２】
また、前記前身頃に形成したポケットの入口部を構成する開口部の縁部に、形状保持部材を配設してなるようにすることができる。
【考案の効果】
【００１３】
本考案の内部ポケット付きシャツによれば、ポケットが、前身頃に形成したポケットの入口部を構成する開口部の上側縁部に一端縁部を、開口部の下側縁部に他端縁部をそれぞれ縫着してなり、かつ、一端縁部と他端縁部の中間部を上方で折り返すことで２つのポケット部を形成するようにした布片からなるようにすることにより、ポケットに携帯端末を収納した場合でも、携帯端末の重みで、ポケットや、その周辺の前身頃が垂れ下がることが視認されないため、見栄えが悪くならず、かつ、構造が簡易でシャツの縫製作業を簡易に行うことができる。
【００１４】
また、２つのポケット部が、深さの異なるポケット部からなるようにすることにより、大きさの異なる収容物を区別して収納することができる。
【００１５】
また、前身頃に形成したポケットの入口部を構成する開口部の縁部に、形状保持部材を配設してなるようにすることにより、前身頃に形成したポケットの入口部を構成する開口部や、その周辺の前身頃の形状を安定して保持することができる。
【図面の簡単な説明】
【００１６】
【図１】本考案の内部ポケット付きシャツの一実施例を示す正面図である。
【図２】ポケットを縫着したシャツの前身頃の要部の断面図である。
【図３】形状保持部材の要部の断面図である。
【考案を実施するための形態】
【００１７】
以下、本考案の内部ポケット付きシャツの実施の形態を、図面に基づいて説明する。
【００１８】
図１〜図３に、本考案の内部ポケット付きシャツの一実施例を示す。
この内部ポケット付きシャツは、シャツ１の前身頃１１にポケット２を縫着することにより取り付けた内部ポケット付きシャツであって、ポケット２が、前身頃１１に形成したポケット２の入口部を構成する開口部１２の上側縁部１２ａに一端縁部２１を、開口部１２の下側縁部１２ｂに他端縁部２２をそれぞれ縫着してなり、かつ、一端縁部２１と他端縁部２２の中間部２３を上方で折り返すことで２つのポケット部２ａ、２ｂを形成するようにした布片２０からなるようにしている。
【００１９】
布片２０は、側縁部を縫製することで２つのポケット部２ａ、２ｂを形成するようにする。
２つのポケット部２ａ、２ｂの側縁部の縫製は、一体に縫製しても、独立して縫製してもよい。
また、２つのポケット部２ａ、２ｂの下端部は、前身頃１１に縫着して拘束した状態にしても、拘束しないフリーの状態にしてもよい。
【００２０】
この場合において、２つのポケット部２ａ、２ｂは、その深さを任意に設定することができるが、収容物として、大型の携帯端末（スマートフォン）を収納することができるように、例えば、シャツ１の前身頃１１の側に位置するポケット部２ａを深く（例えば、深さ１５０〜２００ｍｍ、幅１００〜１４０ｍｍ）、その後ろ側に位置するポケット部２ｂをそれより浅く（例えば、深さ１００〜１２０ｍｍ、幅１００〜１４０ｍｍ）形成するようにしたり、逆にポケット部２ａを浅く、ポケット部２ｂをそれより深く形成するようにしたり、ポケット部２ａ、２ｂを同じ深さ（例えば、深さ１５０〜２００ｍｍ、幅１００〜１４０ｍｍ）に形成するようにすることができる。
これにより、大きさの異なる収容物を区別して収納することができる。
【００２１】
また、前身頃１１に形成したポケット２の入口部を構成する開口部１２の縁部に、形状保持部材としての補助布３やワイヤー４を配設することができる。
これにより、前身頃１１に形成したポケット２の入口部を構成する開口部１２や、その周辺の前身頃１１の形状を安定して保持することができる。
【００２２】
ここで、補助布３は、布片２０の他端縁部２２が縫着される開口部１２の下側縁部１２ｂに沿って配設することにより、形状保持部材としての機能に加えて、開口部１２の目隠し部材としての機能を備えるようにしたものである。
【００２３】
また、ワイヤー４は、布片２０の他端縁部２２が縫着される開口部１２の下側縁部１２ｂに沿って配設することにより、形状保持部材としての機能を備えるようにしたもので、ワイヤー４には、金属製のワイヤーのほか、合成樹脂製のワイヤーを用いることができる。
ここで、合成樹脂製のワイヤー、例えば、ポリエチレン樹脂製のワイヤー（具体的には、例えば、三井化学社製「テクノロート」（登録商標）Ｗ３００（直径：０．６７ｍｍ））を用いる場合には、図３に示すように、耐熱繊維製の布５、例えば、メタ系アラミド繊維からなる耐熱繊維製の織布を折り畳み、その間にワイヤー４を挟んで保持した状態にしたものを配設することで、高温でアイロン掛けを行うことによる合成樹脂製のワイヤーの変形を防止することができる。
この場合、耐熱繊維製の布５には、その表面積に対してシャツ１を構成する布地との接触面積が小さくなる目の粗い織布を好適に用いることができる。
【００２４】
なお、形状保持部材、例えば、ワイヤー４は、開口部１２の上側縁部１２ａに配設することもできる。
【００２５】
この内部ポケット付きシャツによれば、ポケット２に携帯端末を収納した場合でも、携帯端末の重みで、ポケット２や、その周辺の前身頃１１が垂れ下がることが視認されないため、見栄えが悪くならず、かつ、構造が簡易でシャツ１の縫製作業を簡易に行うことができる。
【００２６】
以上、本考案の内部ポケット付きシャツについて、その実施例に基づいて説明したが、本考案は上記実施例に記載した構成に限定されるものではなく、その趣旨を逸脱しない範囲において適宜その構成を変更することができるものである。
【産業上の利用可能性】
【００２７】
本考案の内部ポケット付きシャツは、ポケットに携帯端末を収納した場合でも、見栄えが悪くならず、かつ、構造が簡易でシャツの縫製作業に手数を要しないという特性を有していることから、布帛シャツやニットシャツの用途に好適に用いることができる。
【符号の説明】
【００２８】
１  シャツ
１１  前身頃
１２  開口部
１２ａ  上側縁部
１２ｂ  下側縁部
２  ポケット
２ａ  ポケット部
２ｂ  ポケット部
２０  布片
２１  一端縁部
２２  他端縁部
２３  中間部
３  補助布
４  ワイヤー
５  耐熱繊維製の布
【図１】
0003218280.tif 000003
【図２】
0003218280.tif 000004
【図３】
0003218280.tif 000005